(57)【要約】【課題】作業者の固定接触端子への接触を確実に防止することができ且つ比較的安価で設備可能なスイッチギヤの遮蔽装置を提供する。【解決手段】箱体の格納室内に引出し可能に格納され主回路の固定接触端子に接続される可動接触端子を有する引出形遮断器を具備するスイッチギヤの遮蔽装置３０であって、絶縁材料からなる遮蔽板３２が台車３１上に立設されてなり、引出形遮断器を格納室の外側に引出した際に格納室に格納することで、遮蔽板によって固定接触端子が塞がれるようにする。【選択図】図３
2009171774.tif 000002
【特許請求の範囲】
【請求項１】
箱体の格納室内に引出し可能に格納され主回路の固定接触端子に接続される可動接触端子を有する引出形遮断器を具備するスイッチギヤの遮断装置であって、
絶縁材料からなる遮蔽板が台車上に立設されてなり、前記引出形遮断器を前記格納室の外側に引出した際に当該格納室に格納されて前記遮蔽板によって前記固定接触端子を塞ぐことを特徴とするスイッチギヤの遮蔽装置。
【請求項２】
前記遮蔽板は、前記格納室の前記固定接触端子が設けられる面の略全面を塞ぐ大きさを有することを特徴とする請求項１に記載のスイッチギヤの遮蔽装置。
【発明の詳細な説明】
【技術分野】
【０００１】
本発明は、引出用遮断器を有するスイッチギヤの保守・点検時に用いられる遮蔽装置に関する。
【背景技術】
【０００２】
発電所等における各種機器の運転を停止する際、電源系統の遮断を行う装置として、引出形遮断器を有するスイッチギヤが知られている。スイッチギヤは、可動接触端子を有する引出形遮断器を箱体内の格納室に格納し、引出形遮断器の可動接触端子と格納室に突出する主回路の固定接触端子とを接続することで電源系統を接続状態とする。また、保守・点検を行う際には、引出形遮断器を格納室内から引き出して可動接触端子と固定接触端子とを切り離すことで開放状態とする。
【０００３】
ここで、引出形遮断器を格納室内から引き出して保守・点検を行う場合、格納室内には固定接触端子が露出された状態となり、このままの状態で作業を行うと、作業者が固定接触端子に接触して感電する等の事故が発生してしまう虞がある。このため、例えば、引出形遮断器の出し入れに応じて、固定接触端子に対向して設けられるシャッタを開閉するようにしたものがある（例えば、特許文献１）。
【０００４】
【特許文献１】特開２００２−３３５６１０号公報
【発明の開示】
【発明が解決しようとする課題】
【０００５】
このようなシャッタ機構を採用することにより、保守・点検作業中には、固定接触端子がシャッタで塞がれるため、作業者が固定接触端子に接触して感電する等の事故を確実に防止することはできる。しかしながら、機構が複雑であり、既存の設備に採用することは難しく、またこのような機構を採用するには新たに莫大な設備投資が必要となるという問題もある。
【０００６】
本発明は、このような事情に鑑みてなされたものであり、作業者の固定接触端子への接触を確実に防止することができ且つ比較的安価で設備可能なスイッチギヤの遮蔽装置を提供することを目的とする。
【課題を解決するための手段】
【０００７】
上記課題を解決する本発明は、箱体の格納室内に引出し可能に格納され主回路の固定接触端子に接続される可動接触端子を有する引出形遮断器を具備するスイッチギヤの遮断装置であって、絶縁材料からなる遮蔽板が台車上に立設されてなり、前記引出形遮断器を前記格納室の外側に引出した際に当該格納室に格納されて前記遮蔽板によって前記固定接触端子を塞ぐことを特徴とするスイッチギヤの遮蔽装置にある。
【０００８】
また、前記遮蔽板は、前記格納室の前記固定接触端子が設けられる面の略全面を塞ぐ大きさを有することが好ましい。
【発明の効果】
【０００９】
かかる本発明では、遮蔽板によって固定接触端子が確実に遮蔽されるため、外部から固定接触端子に接触して感電する等の事故を未然に確実に防止することができる。また、遮蔽装置は、既存の設備に変更を加える必要がなく莫大な設備投資を必要としないため、比較的容易に採用することができる。
【発明を実施するための最良の形態】
【００１０】
以下、本発明を実施形態に基づいて詳細に説明する。
図１は、スイッチギヤの一例を示す側面図であり、図２は、本発明に係る遮蔽装置の概略斜視図である。また図３は、遮蔽装置の使用手順の概略を示す図である。
【００１１】
スイッチギヤ１０は、図１に示すように、例えば、発変電設備等に用いられるものであり、配電盤（主回路）が設けられる箱体１１と、該箱体１１の格納室１２内に格納される引出形遮断器（遮断部）１３とを具備する。引出形遮断器（遮断部）１３は、遮断器本体１４が台車１５上に固定されてなり、格納室１２の底面１２ａに設けられたレール１６上を直線移動可能となっている。なお、遮断器本体１４は、いわゆる真空遮断器であり、真空の優れたアークの消弧力及び絶縁性能を利用したものであり、開極時に生じるアークは、真空中で高速拡散するため、容易に大電流を遮断することができるという利点を備えている。
【００１２】
そして、発変電設備の運転時には、引出形遮断器（遮断部）１３が箱体１１の格納室１２内に押し入れられて遮断器本体１４が主回路と接続され、スイッチギヤの保守・点検時等には引出形遮断器（遮断部）１３が格納室１２から箱体１１の外側に引き出されて遮断器本体１４が主回路と開放されるようになっている。
【００１３】
具体的には、箱体１１の後面１１ａ側に、主回路に接続された固定接触端子１７が格納室１２内に略水平方向に突出して設けられている。例えば、主回路の三相母線にそれぞれ接続される複数の固定接触端子１７が設けられている。なお、この格納室１２に突出した各固定接触端子１７の周囲には、絶縁材料からなる筒状の保護カバー１８が設けられており、各固定接触端子１７は、この保護カバー１８によって保護されている（図３（ａ）参照）。一方、遮断器本体１４の後面側、すなわち、固定接触端子１７に対向する面には、各固定接触端子１７に対応する複数の可動接触端子１９が、略水平方向に突出して設けられている。これら各可動接触端子１９の周囲にも、固定接触端子１７の周囲と同様に、絶縁材料からなる筒状の保護カバー１８が設けられている。そして、遮断器本体１４が、格納室１２に格納されることで可動接触端子１９が固定接触端子１７と接続され、格納室１２から引き出されることで可動接触端子１９が固定接触端子１７から開放されるようになっている。
【００１４】
このようなスイッチギヤ１０の保守・点検作業は、遮断器本体１４を格納室１２から箱体１１の外部まで引き出した状態で行うが、このとき格納室１２内に固定接触端子１７が露出されていると、作業者が固定接触端子１７に接触して感電する等の事故が発生する虞がある。このため、本発明では、遮断器本体１４を格納室１２から引き出した際に、以下のような遮蔽装置３０を格納室１２内に格納することで、固定接触端子１７を塞ぎ、作業者が固定接触端子１７に接触して感電する等の事故を未然に防止している。
【００１５】
本発明の遮蔽装置は、図２に示すように、台車３１上に遮蔽板３２が立設されてなる。本実施形態では、遮蔽板３２は、台車の移動方向における一方の端部近傍に立設されている。そして、遮蔽装置３０は、遮断器本体１４の台車１５と同様に、格納室１２の底面１２ａに設けられたレール１６上を直線移動可能となっている。遮蔽板３２は、絶縁材料からなり、遮蔽板３２が固定接触端子１７に接触した際に導通することがないようになっている。すなわち、絶縁材料からなる遮蔽板３２とは、全体が絶縁材料で形成されたものだけでなく、表面のみが絶縁材料で形成されたものも含む。また、遮蔽板３２の大きさ及び形状は、少なくとも各固定接触端子１７が塞がれるような大きさ及び形状であれば、特に限定されるものではない。例えば、本実施形態では、遮蔽板３２は、格納室１２の後面を全て塞ぐ大きさを有する。すなわち、遮蔽板３２は、格納室１２の側面あるいは上面との隙間から作業者の手が入らない程度の大きさを有する。
【００１６】
このような遮蔽装置３０は、スイッチギヤ１０の保守・点検作業において次のような手順で使用する。まず、遮断器本体１４が格納室１２に格納された状態、いわゆる遮断器運転状態から、図３（ａ）に示すように、遮断器本体１４をレール１６に沿って移動させて、図３（ｂ）に示すように、遮断器本体１４を格納室１２から箱体１１の外側まで引き出す。その後、図３（ｃ）に示すように、遮蔽装置３０をレール１６上に配置して、遮蔽板３２側から格納室１２内に格納する。そして、遮蔽装置３０が格納室１２内に格納された状態で、作業者は、スイッチギヤ１０の各種点検・保守作業を行う。
【００１７】
このように遮蔽装置３０を格納室１２内に格納することで、格納室１２の後面側、すなわち、固定接触端子１７が設けられた面が、遮蔽装置３０の遮蔽板３２によって塞がれるため、保守・点検作業中に、作業者が固定接触端子１７に接触して感電する等の事故が発生することがなく、作業の安全性が大幅に向上する。また、本発明の遮蔽装置３０は、既存の装置に採用することが可能であり、また複雑な機構を必要としないため、設備投資も抑えることができる。
【００１８】
以上、本発明の一実施形態について説明したが、本発明は、この実施形態に限定されるものではなく、その要旨を逸脱しない範囲で種々の変更が可能なことは言うまでもない。
【図面の簡単な説明】
【００１９】
【図１】スイッチギヤの一例を示す側面図である。
【図２】本発明に係る遮蔽装置の概略斜視図である。
【図３】本発明に係る遮蔽装置の使用手順を示す図である。
【符号の説明】
【００２０】
１０  スイッチギヤ
１１  箱体
１２  格納室
１３  引出形遮断器
１４  遮断器本体
１６  レール
１７  固定接触端子
１８  保護カバー
１９  可動接触端子
３０  遮蔽装置
３１  台車
３２  遮蔽板
【図１】
2009171774.tif 000003
【図２】
2009171774.tif 000004
【図３】
2009171774.tif 000005